(57)【要約】【課題】通信手段が外部機器と接続した場合の起動時において、ユーザの利便性を損なうことなく、且つ、消費電力を抑えることができる電子機器を提供すること。【解決手段】複数の機器を備え、外部機器に接続してデータ通信を行うと共に電力の供給を受ける通信手段と、前記通信手段による前記外部機器との接続を検出する検出手段と、前記複数の機器への電力供給の制御を行う電力供給制御手段と、前記電力供給制御手段が前記複数の機器に対して電力供給を行う対象が異なる複数の起動モードと、を有する電子機器であって、前記通信手段が前記外部機器と接続したことを前記検出手段が検出した時に、前記複数の起動モードの中から選択された起動モードに基づいて、前記電力供給制御手段が前記複数の機器への電力供給の制御を行うことにより解決される。【選択図】図４
2012240264.tif 000002
【特許請求の範囲】
【請求項１】
複数の機器を備え、
外部機器に接続してデータ通信を行うと共に電力の供給を受ける通信手段と、
前記通信手段による前記外部機器との接続を検出する検出手段と、
前記複数の機器への電力供給の制御を行う電力供給制御手段と、
前記電力供給制御手段が前記複数の機器に対して電力供給を行う対象が異なる複数の起動モードと、
を有する電子機器であって、
前記通信手段が前記外部機器と接続したことを前記検出手段が検出した時に、
前記複数の起動モードの中から選択された起動モードに基づいて、前記電力供給制御手段が前記複数の機器への電力供給の制御を行う
ことを特徴とする電子機器。
【請求項２】
過去の起動時における、前記通信手段が前記外部機器と接続したことが検出されてから、前記電子機器がユーザの指示により動作するまで、に要した時間に基づいて、前記起動モードが選択される
ことを特徴とする請求項１に記載の電子機器。
【請求項３】
ユーザが操作を行う操作部を有し、
前記操作部において前記起動モードが選択される
ことを特徴とする請求項１に記載の電子機器。
【請求項４】
複数の機器を備え、
外部機器に接続してデータ通信を行うと共に電力の供給を受ける通信手段と、
前記通信手段による前記外部機器との接続を検出する検出手段と、
前記複数の機器への電力供給の制御を行う電力供給制御手段と、
前記電力供給制御手段が前記複数の機器に対して電力供給を行う対象が異なる複数の起動モードと、
を有する電子機器の電力制御方法であって、
前記通信手段が前記外部機器と接続したことを前記検出手段が検出した時に、
前記複数の起動モードの中から選択された起動モードに基づいて、前記電力供給制御手段が前記複数の機器への電力供給の制御を行う
ことを特徴とする電子機器の電力制御方法。
【請求項５】
複数の機器を備え、
外部機器に接続してデータ通信を行うと共に電力の供給を受ける通信手段と、
前記通信手段による前記外部機器との接続を検出する検出手段と、
前記複数の機器への電力供給の制御を行う電力供給制御手段と、
前記電力供給制御手段が前記複数の機器に対して電力供給を行う対象が異なる複数の起動モードと、
を有する電子機器のコンピュータに、
前記通信手段が前記外部機器と接続したことを前記検出手段が検出した時に、
前記複数の起動モードの中から選択された起動モードに基づいて、前記電力供給制御手段による前記複数の機器への電力供給の制御を実行させるためのプログラム。
【請求項６】
請求項５に記載のプログラムを記録したコンピュータ読み取り可能な記録媒体。
【発明の詳細な説明】
【技術分野】
【０００１】
本発明は、データ通信を行うと共に電力の供給を受ける通信手段を介して外部機器と接続して動作する電子機器に関し、特に電子機器が備える複数の機器への電力供給制御技術に関する。
【背景技術】
【０００２】
ＨＤＤ（ハードディスクドライブ）やＤＶＤ−ＲＯＭドライブ、あるいはインクジェットプリンタといった電子機器の中には、ＵＳＢ等の通信手段を介してＰＣ等の外部ホスト機器と接続し、データ通信を行うと共に電力の供給を受けて動作するものがある。
【０００３】
さらに上記した電子機器の中には、ＵＳＢ等によりホスト機器との接続を検知した時に、自動的に電源が投入されて起動を開始するものがある。
【０００４】
しかし、ＵＳＢ等の通信手段で接続する電子機器の全てが、ホスト機器との接続と同時に起動する必要がある訳ではなく、例えば、ＵＳＢ等の通信手段によりホスト機器に接続した直後に電子機器の使用を開始しない場合等、直ちに起動する必要が無い場合もある。
【０００５】
この様な場合には、実際には使用されないにも関わらず起動してしまうために、必要以上に電力を消費してしまう、という問題があった。
【０００６】
そこで、例えば特許文献１には、外部装置との複数の通信手段を備えた電子機器で、複数の通信手段の接続状態に応じて適切な電源制御をすることで、ユーザによる電源制御の手間を省き、ユーザの利便性を向上させる電子機器が提案されている。
【０００７】
特許文献１に係る電子機器によれば、全ての通信手段が接続されていない状態になった時に電子機器の電源を切る様にするので、電子機器を利用しない場合の消費電力を抑えつつ、電源ボタンの押下などのユーザの手間を省くことが可能になる。
【発明の概要】
【発明が解決しようとする課題】
【０００８】
しかしながら、特許文献１に係る電子機器においても、通信手段による外部装置との接続が検知されて電源が投入された後において、直ぐに使用が開始されない場合等には、必要以上に電力を消費してしまうという問題を解消できない場合があった。
【０００９】
そこで、通信手段が外部機器と接続して起動する際に、ユーザの利便性を損なうことなく、且つ、消費電力を抑えることができる電子機器、電子機器の電力制御方法、プログラム及び記録媒体を提供することを目的とする。
【課題を解決するための手段】
【００１０】
そこで本発明では、上記課題に鑑み、複数の機器を備え、外部機器に接続してデータ通信を行うと共に電力の供給を受ける通信手段と、前記通信手段による前記外部機器との接続を検出する検出手段と、前記複数の機器への電力供給の制御を行う電力供給制御手段と、前記電力供給制御手段が前記複数の機器に対して電力供給を行う対象が異なる複数の起動モードと、を有する電子機器であって、前記通信手段が前記外部機器と接続したことを前記検出手段が検出した時に、前記複数の起動モードの中から選択された起動モードに基づいて、前記電力供給制御手段が前記複数の機器への電力供給の制御を行うことを特徴とする。
【発明の効果】
【００１１】
本発明に係る実施形態によれば、電子機器が備える複数の機器に対して電力供給を行う対象が異なる複数の起動モードを備え、通信手段が外部機器と接続した場合にユーザに最適な起動モードで電子機器が起動することによって、ユーザの利便性を損なうことなく、消費電力の低減を達成することができる。
【図面の簡単な説明】
【００１２】
【図１】第１の実施形態に係るインクジェット記録装置の概略構成を示す図
【図２】第１の実施形態に係るインクジェット記録装置のハードウェア構成を示す図
【図３】第１の実施形態に係る起動モードの例を示す図
【図４】第１の実施形態に係る起動時における処理例を示すフローチャート
【図５】第１の実施形態に係る操作パネルの画面表示及び遷移の例を示す図
【図６】第２の実施形態に係る起動時の処理例を示すフローチャート
【図７】第１の実施形態の変形例に係る起動時の処理例を示すフローチャート
【図８】第２の実施形態の変形例に係る起動時の処理例を示すフローチャート
【発明を実施するための形態】
【００１３】
以下、本発明の好適な実施の形態（以下「実施形態」という）について、図面を用いて詳細に説明する。
［第１の実施形態］
図１に、本発明に係る電子機器の一態様であるインクジェット記録装置の概略構成を示す。
【００１４】
インクジェット記録装置１０は、装置本体１の内部に画像形成部２等を有し、給紙トレイ４から給紙される用紙３を取り込み、搬送機構５で用紙３を搬送しつつ、画像形成部２によって画像を記録した後、装置本体１に装着された排紙トレイ６に用紙３を排出する。
【００１５】
また、インクジェット記録装置１０は、装置本体１に着脱可能に設けられた両面ユニット７を備えている。両面印刷を行うときには、一方の面（表面）の印刷終了後に、搬送機構５によって用紙３を逆方向に搬送しながら両面ユニット７内に取り込み、反転させて他方の面（裏面）を印刷面として搬送し、裏面印刷終了後に排紙トレイ６に用紙３を排出する。
【００１６】
ここで、画像形成部２は、ガイドシャフト１１，１２にキャリッジ１３を摺動可能に保持し、図示しない主走査モータでキャリッジ１３を用紙３の搬送方向と直交する方向に移動（主走査）させる。
【００１７】
キャリッジ１３には、液滴を吐出する複数の吐出口であるノズル孔を配列した液滴吐出ヘッドで構成した記録ヘッド１４を搭載し、また、記録ヘッド１４に液体を供給するインクカートリッジ１５を着脱自在に搭載している。
【００１８】
なお、インクカートリッジ１５に代えてヘッドタンクを搭載し、メインタンクからインクをヘッドタンクに補充供給する構成とすることもできる。
【００１９】
記録ヘッド１４としては、イエロー（ｙ）、マゼンタ（ｍ）、シアン（ｃ）、ブラック（ｋ）の各色のインク滴を吐出する液滴吐出ヘッドとしているが、各色のインク滴を吐出する複数のノズル列を有する１又は複数のヘッドを用いる構成とすることもできる。なお、色の数及び配列順序はこれに限るものではない。
【００２０】
記録ヘッド１４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを使用できる。
【００２１】
給紙トレイ４の用紙３は、給紙コロ（半月コロ）２１と図示しない分離パッドとによって１枚ずつ分離され装置本体１内に給紙され、搬送機構５に送り込まれる。
【００２２】
搬送機構５は、給紙された用紙３をガイド面２３ａに沿って上方にガイドし、また両面ユニット７から送り込まれる用紙３をガイド面２３ｂに沿ってガイドする搬送ガイド部２３を有している。また、用紙３を搬送する搬送ローラ２４と、この搬送ローラ２４に対して用紙３を押し付ける加圧コロ２５と、ガイド部材２６，２７と、搬送ローラ２４から送り出す用紙３を押圧する押し付けコロ２８とを有している。
【００２３】
さらに、搬送機構５は、記録ヘッド１４で用紙３の平面性を維持したまま搬送するために、駆動ローラ３１と従動ローラ３２との間に掛け渡した搬送ベルト３３と、この搬送ベルト３３を帯電させるための帯電ローラ３４と、この帯電ローラ３４に対向するガイドローラ３５とを有している。また、図示しないが、搬送ベルト３３を画像形成部２に対向する部分で案内するガイド部材（プラテンプレート）と、搬送ベルト３３に付着した記録液（インク）を除去するためのクリーニング手段である多孔質体などからなるクリーニングローラ等を有している。
【００２４】
搬送ベルト３３は無端状ベルトであり、駆動ローラ３１と従動ローラ３２との間に掛け渡されて、矢印方向（用紙搬送方向）に周回するように構成している。
【００２５】
この搬送ベルト３３は、単層構成又は２層構成あるいは３層以上の構成とすることができる。例えば、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏面（中抵抗層、アース層）とで構成する。
【００２６】
帯電ローラ３４は、搬送ベルト３３の表層に接触し、搬送ベルト３３に従動して回転するように配置されている。帯電ローラ３４には図示しない高圧回路（高圧電源）から高電圧が所定のパターンで印加される。
【００２７】
搬送機構５の下流側には、画像が記録された用紙３を排紙トレイ６に送り出すための排紙ローラ３８を備えている。
【００２８】
搬送ベルト３３は矢印方向に周回し、高電位の印加電圧が印加される帯電ローラ３４と接触することで正に帯電される。この場合、帯電ローラ３４は所定の時間間隔で極性を切り替えることによって、所定の帯電ピッチで搬送ベルト３３を帯電させる。
【００２９】
高電位に帯電した搬送ベルト３３上に用紙３が給紙されると、用紙３内部が分極状態になり、搬送ベルト３３上の電荷と逆極性の電荷が用紙３のベルト３３と接触している面に誘電される。ベルト３３上の電荷と搬送される用紙３上に誘電された電荷同士が互いに静電的に引っ張り合い、用紙３は搬送ベルト３３に静電的に吸着される。吸着された用紙３は、反りや凹凸が矯正され、平滑な面が形成される。搬送ベルト３３に吸着された用紙３は、画像形成部２まで搬送される。
【００３０】
用紙３が画像形成部２を通過する間に、キャリッジ１３を片方向又は双方向に移動走査しながら画像信号に応じて記録ヘッド１４を駆動し、記録ヘッド１４から液滴を吐出（噴射）させて、停止している用紙３に液滴であるインク滴を付着させてドットを形成することにより、１行分を記録した後、用紙３を所定量搬送して次の行の記録を行う。
【００３１】
記録終了信号又は用紙３の後端が記録領域に到達した信号を受けることにより、記録動作を終了する。
【００３２】
以上の過程を経て画像が記録された用紙３は排紙ローラ３８によって排紙トレイ６に排紙される。
【００３３】
図２に、第１の実施形態に係るインクジェット記録装置１０のハードウェア構成を示す。
【００３４】
インクジェット記録装置１０の制御部１００は、ＣＰＵ１０１，ＲＡＭ１０３，不揮発性メモリ（ＮＶＲＡＭ）１０４、ＡＳＩＣ１０５等を備えている。
【００３５】
ＣＰＵ１０１は、用紙３の搬送動作及び記録ヘッド１４の移動動作に関する制御など、装置全体の制御を司っている。
【００３６】
ＲＯＭ１０２は、ＣＰＵ１０１が実行するプログラムその他の固定データを格納している。ＲＡＭ１０３は、画像データなどを一時格納する際に使用され、ＮＶＲＡＭ１０４は装置の電源が遮断されている間にもデータを保持する必要がある場合に用いられる。
【００３７】
記録媒体Ｉ／Ｆ５１は、記録媒体５２と接続してプログラム等を読み出すことができ、ＣＰＵ１０１は読み出されたプログラムを実行することもできる。
【００３８】
また、ＡＳＩＣ１０５は、各種信号処理、並べ替えなどを行う画像処理やその他装置全体を制御するための入出力信号の処理を行う。
【００３９】
ホストＩ／Ｆ１０６は、プリンタドライバを搭載可能なパーソナルコンピュータ等のデータ処理装置であるホスト装置９０側と通信手段５０を介してのデータ、信号の送受信を行う。
【００４０】
ＡＣバイアス供給部１１４は、帯電ローラ３４に対して高電圧を印加するオン／オフの切り替え及び出力極性の切り替え制御を行う。
【００４１】
印刷制御部１０７は、記録ヘッド１４を駆動するための駆動波形を生成するとともに、記録ヘッド１４の圧力発生手段を選択駆動させる画像データ及びそれに伴う各種データをヘッドドライバ１０８に出力する。
【００４２】
さらに、ヘッドドライバ１０８、主走査モータ１１０を駆動するための主走査モータ駆動部１１１、副走査モータ１１２を駆動するための副走査モータ駆動部１１３、帯電ローラ３４にＡＣバイアスを供給するＡＣバイアス供給部１１４、リニアエンコーダ１６、ホイールエンコーダ１７からの検出パルス、その他の各種センサからの検知信号を入力するためのＩ／Ｏ１１６等を備えている。
【００４３】
制御部１００には、インクジェット記録装置１０に必要な情報の入力及び表示を行うための操作部である操作パネル１１７が接続されている。
【００４４】
制御部１００は、パーソナルコンピュータ等のデータ処理装置、イメージスキャナ等の画像読取装置や、デジタルカメラ等の撮像装置といったホスト装置９０からの画像データを含む印刷データ等をケーブル或いはネットを介してホストＩ／Ｆ１０６で受信する。
【００４５】
制御部１００に対する印刷データの生成出力は、ホスト装置９０にインストールされたプリンタドライバ９１によって行われる。
【００４６】
ホストＩ／Ｆ１０６が印刷データ等を受信すると、ＣＰＵ１０１はＩ／Ｆ１０６に含まれる受信バッファ内の印刷データを読み出して解析し、ＡＳＩＣ１０５にてデータの並び替え処理等を行って印刷制御部１０７に転送し、印刷制御部１０７から所定のタイミングでヘッドドライバ１０８に印刷データや駆動波形を出力する。
【００４７】
画像を出力するためのドットパターンデータの生成は、例えばＲＯＭ１０２にフォントデータを格納して行っても良いし、ホスト装置９０のプリンタドライバ９１で印刷データをビットマップデータに展開してからホストＩ／Ｆ１０６に転送する様にしても良い。
【００４８】
印刷制御部１０７の駆動波形生成部は、ＲＯＭ１０２に格納されてＣＰＵ１０１で読み出される駆動パルスのパターンデータをＤ／Ａ変換するＤ／Ａ変換器及び増幅器等で構成され、１つ又は複数の駆動パルスで構成される駆動波形をヘッドドライバ１０８に出力する。
【００４９】
ヘッドドライバ１０８は、記録ヘッド１４の１行分に相当する画像データ（ドットパターンデータ）に基づいて印刷制御部１０７から与えられる駆動波形を構成する駆動パルスを選択的に記録ヘッド１４の圧力発生手段に印加することで記録ヘッド１４を駆動する。
【００５０】
なお、このヘッドドライバ１０８は、例えば、クロック信号及び画像データであるシリアルデータを入力するシフトレジスタと、シフトレジスタのレジスト値をラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）等を含む。アナログスイッチアレイのオン／オフを制御することで駆動波形に含まれる所要の駆動パルスを選択的に記録ヘッド１４の圧力発生手段に印加して該記録ヘッド１４を駆動する。
【００５１】
ホストＩ／Ｆ１０６は外部装置であるホスト装置９０と通信手段５０を介して接続する。
【００５２】
通信手段５０としては、例えばＵＳＢ，ＩＥＥＥ１３９４，ｅＳＡＴＡ（Ｅｘｔｅｒｎａｌ  Ｓｅｒｉａｌ  ＡＴＡ）等の複数の規格に対応している。これらはプラグアンドプレイ（接続した際にハードウェアとファームウェア、ドライバ、オペレーティングシステム、およびアプリケーション間が自動的に協調し、機器の組み込みと設定を自動的に行う仕組み）及びホットスワップ（電源を投入したまま脱着ができる構造を備えた装置の仕組み、活線挿抜）可能な仕組みを有し、ホスト装置９０からの供給電源ラインを有する。
【００５３】
ホストＩ／Ｆ１０６は、ホスト装置９０から通信手段５０を介して規定のプロトコルを検知し、ホスト装置９０との接続を検知する検出手段を有している。
【００５４】
ホストＩ／Ｆ１０６が有する検出手段は、通信手段５０として例えばＵＳＢの接続状態について、ホスト側から供給される電源ラインであるＶＢＵＳ信号の電圧から検出することが可能である。
【００５５】
検出手段が検出したＶＢＵＳ信号がＬｏｗであれば、ＵＳＢケーブルが繋がっていないか、ホスト装置９０の電源が切れた状態であり、いずれの場合も非接続と見なすことができる。
【００５６】
上記に例示したＵＳＢ以外の通信手段５０によるホスト装置９０との接続状態は、規定のプロトコルによってホスト装置９０との接続が確立された時に検出することが可能である。
【００５７】
また、ホストＩ／Ｆ１０６は、ホスト装置９０から通信手段５０を介して電力の供給を受け、ＣＰＵ１０１、操作パネル１１７、ヘッドドライバ１０８、主操作モータ１１０といった複数の機器への電力の供給を制御する電力供給制御手段を有している。
【００５８】
インクジェット記録装置１０は、検出手段によってホスト装置９０と接続したことを検出すると、ＮＶＲＡＭ１０４に記憶された起動モードに従って、電力供給制御手段がＣＰＵ１０１等の複数の機器への電力供給を制御して起動する。
【００５９】
インクジェット記録装置１０が印刷を実行するためには、ＣＰＵ電源、センサ電源、駆動系電源、操作パネル等への電力の供給が必要となる。
【００６０】
ＣＰＵ電源はＣＰＵ１０１に電力を供給する電源であり、センサ電源は給紙トレイ４やインクカートリッジ１５等が有する各種センサに電力を供給する電源である。また、駆動系電源は主走査モータ１１０、副走査モータ１１２、搬送ベルト３３、帯電ローラ３４等に電力を供給し、操作パネル１１７にはバックライト等に電力が供給される。
【００６１】
この様に、インクジェット記録装置１０では、ＣＰＵ１０１や駆動系、各種センサ、操作パネル１１７等の複数の機器を備えており、通信手段５０がホスト装置９０に接続すると、これらの機器に電力が供給されて起動する。
【００６２】
しかし、通信手段５０がホスト装置９０と接続した時に、直ちにこれら全ての機器に電力を供給して起動する必要がある訳ではない。ユーザの使用目的によっては、接続後しばらくしてから印刷を実行する場合もあり、直ちに起動すると印刷実行までの間に必要以上に電力を消費してしまうことがある。
【００６３】
そこで、第１の実施形態に係るインクジェット記録装置１０では、通信手段５０がホスト装置９０と接続して起動する場合に、電力供給を行う対象が異なる複数の起動モードを有している。
【００６４】
図３に、第１の実施形態に係るインクジェット記録装置１０の起動モードの例を示す。
【００６５】
インクジェット記録装置１０は、「通常」、「操作パネルＯＦＦ」、「低電力」、「電源ＯＦＦ」という４つの起動モードを有し、起動時において操作パネル、駆動系電源、センサ電源、ＣＰＵ電源といった制御対象機器への電力供給の制御を行っている。
【００６６】
「通常」モードは、全ての機器に対して電力の供給を行い、インクジェット記録装置１０が印刷を遅滞なく実行できる状態にする。
【００６７】
「操作パネルＯＦＦ」モードは、操作パネル１１７自体への電力供給を停止するか、バックライトを消すことにより消費電力を低減した状態で、操作パネル１１７に表示は行わないが、印刷データを受信して印刷可能な状態で起動する。
【００６８】
「低電力」モードは、ＣＰＵ電源のみに電力を供給し、ＣＰＵ１０１だけを起動させる。インクジェット記録装置１０が印刷を実行することはできないが、通信手段５０を介してホスト装置９０から設定値の変更及び参照が可能な状態に起動する。
【００６９】
「電源ＯＦＦ」モードは、通信手段５０がホスト装置９０と接続した場合でも、制御対象機器には電力を供給せず、電源ＯＦＦ状態にするものである。
【００７０】
インクジェット記録装置１０は、上記した複数のモードに基づいて起動することにより、ユーザの利便性を損なうことなく、電力消費量を低減することができる。
【００７１】
なお、起動モードは上記に限るものではなく、さらに多くの種類を有しても良い。また、電力供給の制御対象機器についても、上記以外の組み合わせや、電子機器が備える機器に応じて制御内容を設定することができる。
【００７２】
図４に、第１の実施形態に係るインクジェット記録装置１０の起動時における処理例のフローチャートを示す。
【００７３】
ステップＳ１にて通信手段５０がホスト装置９０と接続したことを検出手段が検出すると、ステップＳ２にてホストＩ／Ｆ１０６が有する電力供給制御手段がＣＰＵ電源に電力を供給する。
【００７４】
ＣＰＵ電源に電力が供給された後、ステップＳ３にてＲＯＭ１０２に格納されたプログラムをＲＡＭ１０３に展開して実行可能にするｂｏｏｔ処理を実行する。
【００７５】
次に、ステップＳ４にてＮＶＲＡＭ１０４に保存されている起動モードを取得する。
【００７６】
ステップＳ５にて取得した起動モードが「通常」モードであった場合には、ステップＳ６にてセンサ電源、ステップＳ７にて駆動系電源、ステップＳ８にて操作パネルに電力が供給され、インクジェット記録装置１０が起動する。
【００７７】
起動モードが「通常」モードではなく、ステップＳ９にて「操作パネルＯＦＦ」モードと判別された場合には、ステップＳ１０にてセンサ電源、ステップＳ１１にて駆動系電源に電力を供給して起動を完了する。
【００７８】
起動モードが「操作パネルＯＦＦ」モードではなく、ステップＳ１２にて「低電力」モードであると判別されると、ＣＰＵ１０１のみが起動した状態で処理を終了する。
【００７９】
ステップＳ１２にて「低電力」モードではない場合には、「電源ＯＦＦ」モードであると判断し、ステップＳ１３にてＣＰＵ電源をＯＦＦにして電源ＯＦＦ状態にして処理を終了する。
【００８０】
以上の処理により、各起動モードに基づいてインクジェット記録装置１０の起動処理が実行され、ユーザの利用状況に適した状態で起動できる。
【００８１】
起動モードは、インクジェット記録装置１０の初期設定時に選択して設定しておくこともできるが、操作パネル１１７によってユーザが適宜選択できるようにしても良い。
【００８２】
図５に、第１の実施形態に係る操作パネル１１７において、ユーザが起動モードを選択する際の画面表示及び遷移の例を示す。操作パネル１１７は、液晶ディスプレイの他に「ＯＫ」ボタン、「戻る」ボタン及び「選択」ボタン等を有して構成されている。
【００８３】
「システム設定」から、「起動モード設定」を選択して「ＯＫ」ボタンを押下すると、各起動モードの選択画面に遷移する。
【００８４】
まず「通常」モードが表示され、「選択」ボタンを押下すると、「操作パネルＯＦＦ」モード、「低電力」モード、「電源ＯＦＦ」モードが順次表示される。各モードが表示されている状態で「ＯＫ」ボタンを押下すると起動モードが設定され、「戻る」ボタンを押下すると「起動モード設定」の初期画面に戻る。
【００８５】
上記した操作を行うことにより、ユーザが各自の使用状況に応じた起動モードを適宜選択して設定することができる。
【００８６】
以上説明した様に、本発明の第１の実施形態に係るインクジェット記録装置１０では、電力供給対象が異なる複数の起動モードを有し、通信手段５０がホスト装置９０と接続したことを検出して起動する際に、設定された起動モードに基づいて備えられた複数の機器に電力の供給を行うことで、必要以上の電力消費を防止することができる。
［第１の実施形態の変形例］
図７に、第１の実施形態の変形例に係る起動時の処理例のフローチャートを示す。
【００８７】
まず、ステップＳ４１にて通信手段５０がホスト装置９０と接続したことが検出手段により検出されると、ステップＳ４２にてＣＰＵ電源に電力が供給され、ステップＳ４３にてｂｏｏｔ処理が実行される。
【００８８】
続いて、ステップＳ４４にてセンサ電源、ステップＳ４５にて駆動系電源、ステップＳ４６にて操作パネルのそれぞれに電力を供給し、一度「通常」モードでの起動を行う。
【００８９】
その後、ステップＳ４７にて設定された起動モードをＮＶＲＡＭ１０４から取得する。
【００９０】
ステップＳ４８で起動モードが「低電力」モードであると判断された場合には、ステップＳ４９にて操作パネル、ステップＳ５０にて駆動系電源、ステップＳ５１にてセンサ電源をＯＦＦにし、ＣＰＵ電源のみに電力を供給する「低電力」モードの状態にする。
【００９１】
ステップＳ５２にて起動モードが「操作パネルＯＦＦ」モードだと判断された場合には、ステップＳ５３にて操作パネルの電力供給を遮断する。「操作パネルＯＦＦ」モードでは無い場合には「通常」モードであり、そのまま処理を終了する。
【００９２】
各モードでの起動が終了するまでに一度起動しておくことによって、操作パネル１１７に電力が供給される間等にユーザが起動したことを知ることができ、ユーザに機能が実行されていないと誤認されることを防ぐ効果がある。
［第２の実施形態］
第２の実施形態では、電子機器の一態様としてインクジェット記録装置１０を用い、その構成等は第１の実施形態と同様である。
【００９３】
第１の実施形態では、起動モードを予め設定するか、ユーザの操作により選択出来る様にしていたが、第２の実施形態では、過去の起動時におけるユーザの使用状況から自動的に起動モードを選択して実行する点で異なっている。
【００９４】
具体的には、過去に通信手段５０がホスト装置９０と接続したことが検出されてから、インクジェット記録装置１０がユーザの指示により動作するまでの時間をＮＶＲＡＭ１０４に保存しておき、保存された当該時間に基づいて起動モードの選択を行う。
【００９５】
起動モードの選択は、保存された時間を閾値Ｔ１，Ｔ２，Ｔ３で判別することにより行う。閾値の数は３つに限るものではなく、起動モードの条件等に応じて適宜設定することが可能である。
【００９６】
図６に、第２の実施形態に係るインクジェット記録装置１０の起動時の処理例のフローチャートを示す。
【００９７】
ステップＳ２１にて通信手段５０がホスト装置９０と接続したことが検出されると、ステップＳ２２にてＣＰＵ電源が投入され、ステップＳ２３にてｂｏｏｔ処理が実行される。
【００９８】
次に、ステップＳ２４にてＮＶＲＡＭ１０４から、過去において通信手段５０が接続してから印刷が開始されるまでに要した時間Ｔｐを取得する。
【００９９】
ステップＳ２５にて時間Ｔｐが閾値Ｔ１未満であった場合には、「通常」モードを選択し、ステップＳ２６にてセンサ電源、ステップＳ２７にて駆動系電源、ステップＳ２８にて操作パネルに電力を供給する。過去におけるユーザの利用状況では、接続から動作までの時間が短いことから、直ちに印刷を実行できるように「通常」モードでの起動を実行する。
【０１００】
ステップＳ２９にて時間Ｔｐが閾値Ｔ１以上であり、且つ、Ｔ２未満であった場合には、「操作パネルＯＦＦ」モードを選択し、ステップＳ３０にてセンサ電源、ステップＳ３１にて駆動系電源に電力を供給する。
【０１０１】
さらに、ステップＳ３２にて時間Ｔｐが閾値Ｔ２以上であり、且つ、Ｔ３未満である場合には、「低電力」モードであり、そのまま処理を終了する。時間Ｔｐが閾値Ｔ３以上の場合には、実際に印刷が開始されるまで長時間経過すると考えられるため、「電源ＯＦＦ」モードが選択され、ステップＳ３３にてＣＰＵ電源への電力供給が遮断される。
【０１０２】
閾値Ｔ１，Ｔ２，Ｔ３は、例えばそれぞれ５分、１５分、３０分等に設定することができる。また、ＮＶＲＡＭ１０４から取得する時間Ｔｐは、前回起動時における時間であっても良く、過去の全ての起動時における通信手段５０の接続から動作までの時間の平均値を用いることもできる。
【０１０３】
以上の様に、第２の実施形態では、過去の起動時における、通信手段５０が外部機器であるホスト装置９０と接続したことが検出されてから、電子機器であるインクジェット記録装置１０が印刷動作を開始するまで、に要した時間に基づいて起動モードを選択する。ユーザの利用状況に応じた起動モードを自動的に設定することができ、且つ、必要以上の電力消費を防止することが可能になる。
［第２の実施形態の変形例］
図８に、第２の実施形態の変形例に係る起動時の処理例のフローチャートを示す。
【０１０４】
ステップＳ６１にて通信手段５０がホスト装置９０と接続したことが検出手段により検出されると、ステップＳ６２にてＣＰＵ電源に電力が供給され、ステップＳ６３にてｂｏｏｔ処理が行われる。
【０１０５】
次に、ステップＳ６４にてセンサ電源、ステップＳ６５にて駆動系電源、ステップＳ６６にて操作パネルのそれぞれに電力を供給し、一度「通常」モードでの起動を行う。
【０１０６】
その後、ステップＳ６７にて、ＮＶＲＡＭ１０４に保存された過去における接続から動作までに要した時間Ｔｐを取得する。
【０１０７】
ステップＳ６８にて、時間Ｔｐが閾値Ｔ１以上である場合には、「低電力」モードに設定し、ステップＳ６９にて操作パネル、ステップＳ７０にて駆動系電源、ステップＳ７１にてセンサ電源への電力供給が遮断される。
【０１０８】
ステップＳ７２にて時間Ｔｐが閾値Ｔ１未満であり、且つ、Ｔ２以上である場合には、「操作パネルＯＦＦ」モードに設定され、ステップＳ７３にて操作パネル電源がＯＦＦにされる。
【０１０９】
ステップＳ７２にて時間Ｔｐが閾値Ｔ２未満である場合には、「通常」モードに設定され、そのまま処理を終了する。
【０１１０】
閾値Ｔ１，Ｔ２は、例えばそれぞれ１５分、５分といった値に設定できる。
【０１１１】
各モードでの起動が終了するまでに一度起動することで、操作パネル１１７に電力が供給される間等にユーザが起動したことを知ることができ、ユーザに機能が実行されていないと誤認されることを防ぐ効果がある。
【０１１２】
また、本発明に係る電子機器及び電子機器の電力制御方法は、コンピュータにより実行可能なプログラムにより実現することができ、プログラムを記録した記録媒体をコンピュータにより読み取らせて実現することも可能である。
＜まとめ＞
以上説明した様に、本発明に係る実施形態によれば、複数の機器に対する電力供給対象が異なる複数の起動モードを有し、通信手段５０がホスト装置９０と接続したことを検出して起動する際に、設定された起動モードに基づいて電力の供給を行うことで、ユーザの利便性を損なうことなく、且つ、必要以上の電力消費を防止することができる。
【０１１３】
また、過去の起動時におけるユーザの使用状況に応じて、起動モードを適宜自動的に選択して実行することにより、ユーザが操作する手間を省くことができ、且つ、最適な起動モードにより電力の消費量を低減することが可能になる。
【０１１４】
なお、上記実施形態に挙げた構成等に、その他の要素との組み合わせなど、ここで示した構成に本発明が限定されるものではない。これらの点に関しては、本発明の主旨を逸脱しない範囲で変更することが可能であり、その応用形態に応じて適切に定めることができる。
【符号の説明】
【０１１５】
１０    インクジェット記録装置（電子機器）
１６    リニアエンコーダ
１７    ホイールエンコーダ
３３    搬送ベルト
３４    帯電ローラ
５０    通信手段
５２    記録媒体
９０    ホスト装置（外部機器）
１０１  ＣＰＵ
１０６  ホストＩ／Ｆ（検出手段、電力供給制御手段）
１０８  ヘッドドライバ
１１０  主走査モータ
１１２  副走査モータ
１１７  操作パネル（操作部）
【先行技術文献】
【特許文献】
【０１１６】
【特許文献１】特開２００９−２２０３３４号公報
【図１】
2012240264.tif 000003
【図２】
2012240264.tif 000004
【図３】
2012240264.tif 000005
【図４】
2012240264.tif 000006
【図５】
2012240264.tif 000007
【図６】
2012240264.tif 000008
【図７】
2012240264.tif 000009
【図８】
2012240264.tif 000010